【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
複数の識別情報の可変表示を行い、前記複数の識別情報の組み合わせからなる表示結果を導出表示する可変表示装置を備え、前記表示結果が特定表示結果となったときに遊技者にとって有利な特定遊技状態に制御する遊技機であって、
可変表示の開始条件の成立にもとづいて前記特定表示結果とするか否かを、表示結果を導出表示する以前に決定する事前決定手段と、
前記事前決定手段の決定結果にもとづいて、可変表示においてリーチ態様を成立させるか否かを含む可変表示の可変表示パターンを複数種類のいずれかに決定する可変表示パターン決定手段と、
前記可変表示パターン決定手段により決定された前記可変表示パターンにもとづいて識別情報の可変表示を実行する可変表示実行手段と、を備え、
前記可変表示パターンは、識別情報の可変表示が開始されてから表示結果が導出表示されるまでに一旦リーチ態様とならない表示結果を構成する識別情報を仮停止させた後に全ての識別情報について可変表示を再度実行する再可変表示を１回または複数回実行する再可変表示パターンを含み、
前記可変表示パターン決定手段は、前記事前決定手段により前記特定表示結果としないと決定された場合よりも前記特定表示結果とすると決定された場合に高い割合で再可変表示の実行回数の多い前記再可変表示パターンを決定し、
前記再可変表示パターンは、再可変表示を１回または複数回実行した後にリーチ態様が成立するリーチ再可変表示パターンと、再可変表示を１回または複数回実行した後にリーチ態様が成立せずに可変表示が終了する非リーチ再可変表示パターンとが設けられ、
前記再可変表示パターンにおける前記リーチ態様とならない表示結果を仮停止させる仮停止パターンは、前記リーチ態様とならない表示結果を構成する識別情報を順次仮停止させる通常パターンと、リーチ態様を成立させる識別情報に対して特定可変表示を実行した後に前記リーチ態様とならない表示結果を構成する識別情報を仮停止させる特定パターンとが設けられ、
前記リーチ再可変表示パターンのみ、１の再可変表示において前記特定パターンを実行して前記リーチ態様とならない表示結果を仮停止した後に実行する再可変表示にてリーチ態様が成立する再可変表示パターンを含む
ことを特徴とする遊技機。
【請求項２】
複数の識別情報の可変表示を行い、前記複数の識別情報の組み合わせからなる表示結果を導出表示する可変表示装置を備え、前記表示結果が特定表示結果となったときに遊技者にとって有利な特定遊技状態に制御する遊技機であって、
可変表示の開始条件の成立にもとづいて前記特定表示結果とするか否かを、表示結果を導出表示する以前に決定する事前決定手段と、
前記事前決定手段の決定結果にもとづいて、可変表示においてリーチ態様を成立させるか否かを含む可変表示の可変表示パターンを複数種類のいずれかに決定する可変表示パターン決定手段と、
前記可変表示パターン決定手段により決定された前記可変表示パターンにもとづいて識別情報の可変表示を実行する可変表示実行手段と、を備え、
前記可変表示パターンは、識別情報の可変表示が開始されてから表示結果が導出表示されるまでに一旦リーチ態様とならない表示結果を構成する識別情報を仮停止させた後に全ての識別情報について可変表示を再度実行する再可変表示を１回または複数回実行する再可変表示パターンを含み、
前記可変表示パターン決定手段は、前記事前決定手段により前記特定表示結果としないと決定された場合よりも前記特定表示結果とすると決定された場合に高い割合で再可変表示の実行回数の多い前記再可変表示パターンを決定し、
前記再可変表示パターンは、再可変表示を１回または複数回実行した後にリーチ態様が成立するリーチ再可変表示パターンと、再可変表示を１回または複数回実行した後にリーチ態様が成立せずに可変表示が終了する非リーチ再可変表示パターンとが設けられ、
前記再可変表示パターンにおける前記リーチ態様とならない表示結果を仮停止させる仮停止パターンは、前記リーチ態様とならない表示結果を構成する識別情報を順次仮停止させる通常パターンと、リーチ態様を成立させる識別情報に対して特定可変表示を実行した後に前記リーチ態様とならない表示結果を構成する識別情報を仮停止させる特定パターンとが設けられ、
前記リーチ再可変表示パターンのみ、１の再可変表示において前記特定パターンを実行して前記リーチ態様とならない表示結果を仮停止した場合にリーチ態様が成立する再可変表示パターンを含む
ことを特徴とする遊技機。
【手続補正２】
【補正対象書類名】明細書
【補正対象項目名】００１０
【補正方法】変更
【補正の内容】
【００１０】
本発明による遊技機は、複数の識別情報（例えば演出図柄）の可変表示を行い、複数の識別情報の組み合わせからなる表示結果を導出表示する可変表示装置（例えば演出表示装置９）を備え、表示結果が特定表示結果（例えば大当り図柄）となったときに遊技者にとって有利な特定遊技状態（例えば大当り遊技状態）に制御する遊技機であって、可変表示の開始条件の成立にもとづいて特定表示結果とするか否かを、表示結果を導出表示する以前に決定する事前決定手段（例えば、遊技制御用マイクロコンピュータ５６０におけるステップＳ６１を実行する部分）と、事前決定手段の決定結果にもとづいて、可変表示においてリーチ態様を成立させるか否かを含む可変表示の可変表示パターン（例えば変動パターン）を複数種類のいずれかに決定する可変表示パターン決定手段（例えば、遊技制御用マイクロコンピュータ５６０におけるステップＳ１０５を実行する部分）と、可変表示パターン決定手段により決定された可変表示パターンにもとづいて識別情報の可変表示を実行する可変表示実行手段（例えば、演出制御用マイクロコンピュータ１００におけるステップＳ８００〜Ｓ８０４を実行する部分）と、を備え、可変表示パターンは、識別情報の可変表示が開始されてから表示結果が導出表示されるまでに一旦リーチとならない表示結果（例えばチャンス目）を構成する識別情報を仮停止させた後に全ての識別情報について可変表示を再度実行する再可変表示（例えば再変動）を１回または複数回実行する再可変表示パターン（例えば、擬似連の変動パターン）を含み、可変表示パターン決定手段は、事前決定手段により特定表示結果としないと決定された場合よりも特定表示結果とすると決定された場合に高い割合で再可変表示の実行回数の多い再可変表示パターンを決定し（例えば、再変動が４回実行された場合は再変動が１回実行された場合よりも大当り信頼度が高くなるように変動パターン判定テーブルに擬似連の変動パターンを設定し）、再可変表示パターンは、再可変表示を１回または複数回実行した後にリーチ態様が成立するリーチ再可変表示パターン（例えば、再変動が実行された後にリーチ状態となる擬似連の変動パターン）と、再可変表示を１回または複数回実行した後にリーチ態様が成立せずに可変表示が終了する非リーチ再可変表示パターン（例えば、再変動が実行された後にリーチ状態とならずにそのまま処理を終了する擬似連の変動パターン）とが設けられ、再可変表示パターンにおけるリーチとならない表示結果を仮停止させる仮停止パターンは、リーチとならない表示結果を構成する複数の識別情報を順次仮停止させる通常パターン（図２４左側の仮停止パターン）と、リーチ態様を成立させる識別情報に対して特定可変表示を実行した後にリーチとならない表示結果を構成する識別情報を仮停止させる特定パターン（図２４右側の仮停止パターン）とが設けられ、リーチ再可変表示パターンのみ、１の再可変表示において特定パターンを実行してリーチとならない表示結果を仮停止した後に実行する再可変表示にてリーチ態様が成立する再可変表示パターンを含む（図６および図７参照）ことを特徴とする。
【手続補正３】
【補正対象書類名】明細書
【補正対象項目名】００１１
【補正方法】変更
【補正の内容】
【００１１】
本発明による遊技機は、複数の識別情報（例えば演出図柄）の可変表示を行い、複数の識別情報の組み合わせからなる表示結果を導出表示する可変表示装置（例えば演出表示装置９）を備え、表示結果が特定表示結果（例えば大当り図柄）となったときに遊技者にとって有利な特定遊技状態（例えば大当り遊技状態）に制御する遊技機であって、可変表示の開始条件の成立にもとづいて特定表示結果とするか否かを、表示結果を導出表示する以前に決定する事前決定手段（例えば、遊技制御用マイクロコンピュータ５６０におけるステップＳ６１を実行する部分）と、事前決定手段の決定結果にもとづいて、可変表示においてリーチ態様を成立させるか否かを含む可変表示の可変表示パターン（例えば変動パターン）を複数種類のいずれかに決定する可変表示パターン決定手段（例えば、遊技制御用マイクロコンピュータ５６０におけるステップＳ１０５を実行する部分）と、可変表示パターン決定手段により決定された可変表示パターンにもとづいて識別情報の可変表示を実行する可変表示実行手段（例えば、演出制御用マイクロコンピュータ１００におけるステップＳ８００〜Ｓ８０４を実行する部分）と、を備え、可変表示パターンは、識別情報の可変表示が開始されてから表示結果が導出表示されるまでに一旦リーチとならない表示結果（例えばチャンス目）を構成する識別情報を仮停止させた後に全ての識別情報について可変表示を再度実行する再可変表示（例えば再変動）を１回または複数回実行する再可変表示パターン（例えば、擬似連の変動パターン）を含み、可変表示パターン決定手段は、事前決定手段により特定表示結果としないと決定された場合よりも特定表示結果とすると決定された場合に高い割合で再可変表示の実行回数の多い再可変表示パターンを決定し（例えば、再変動が４回実行された場合は再変動が１回実行された場合よりも大当り信頼度が高くなるように変動パターン判定テーブルに擬似連の変動パターンを設定し）、再可変表示パターンは、再可変表示を１回または複数回実行した後にリーチ態様が成立するリーチ再可変表示パターン（例えば、再変動が実行された後にリーチ状態となる擬似連の変動パターン）と、再可変表示を１回または複数回実行した後にリーチ態様が成立せずに可変表示が終了する非リーチ再可変表示パターン（例えば、再変動が実行された後にリーチ状態とならずにそのまま処理を終了する擬似連の変動パターン）とが設けられ、再可変表示パターンにおけるリーチとならない表示結果を仮停止させる仮停止パターンは、リーチとならない表示結果を構成する複数の識別情報を順次仮停止させる通常パターン（図２４左側の仮停止パターン）と、リーチ態様を成立させる識別情報に対して特定可変表示を実行した後にリーチとならない表示結果を構成する識別情報を仮停止させる特定パターン（図２４右側の仮停止パターン）とが設けられ、リーチ再可変表示パターンのみ、１の再可変表示において特定パターンを実行してリーチとならない表示結果を仮停止した場合にリーチ態様が成立する再可変表示パターンを含む（図３４および図３５参照）ことを特徴とする。
【手続補正４】
【補正対象書類名】明細書
【補正対象項目名】００１６
【補正方法】変更
【補正の内容】
【００１６】
請求項１記載の発明では、可変表示パターンは、識別情報の可変表示が開始されてから表示結果が導出表示されるまでに一旦リーチ態様とならない表示結果を構成する識別情報を仮停止させた後に全ての識別情報について可変表示を再度実行する再可変表示を１回または複数回実行する再可変表示パターンを含み、可変表示パターン決定手段は、事前決定手段により特定表示結果としないと決定された場合よりも特定表示結果とすると決定された場合に高い割合で再可変表示の実行回数の多い再可変表示パターンを決定し、再可変表示パターンは、再可変表示を１回または複数回実行した後にリーチ態様が成立するリーチ再可変表示パターンと、再可変表示を１回または複数回実行した後にリーチ態様が成立せずに可変表示が終了する非リーチ再可変表示パターンとが設けられ、再可変表示パターンにおけるリーチ態様とならない表示結果を仮停止させる仮停止パターンは、リーチ態様とならない表示結果を構成する識別情報を順次仮停止させる通常パターンと、リーチ態様を成立させる識別情報に対して特定可変表示を実行した後にリーチ態様とならない表示結果を構成する識別情報を仮停止させる特定パターンとが設けられ、リーチ再可変表示パターンのみ、１の再可変表示において特定パターンを実行してリーチ態様とならない表示結果を仮停止した後に実行する再可変表示にてリーチ態様が成立する再可変表示パターンを含む構成とされている。このような構成によれば、再可変表示パターンにおける再可変表示の実行回数だけでなく、再可変表示が特定パターンで仮停止するか否かについても遊技者に注目させることにより、再可変表示の実行回数による特定遊技状態の期待と、特定パターンによるリーチ態様が成立するか否かの期待とを２段階で煽ることができ、遊技者にとって認識し易い演出で期待を高めて遊技の興趣を向上させることができる。
【手続補正５】
【補正対象書類名】明細書
【補正対象項目名】００１７
【補正方法】変更
【補正の内容】
【００１７】
請求項２記載の発明では、可変表示パターンは、識別情報の可変表示が開始されてから表示結果が導出表示されるまでに一旦リーチ態様とならない表示結果を構成する識別情報を仮停止させた後に全ての識別情報について可変表示を再度実行する再可変表示を１回または複数回実行する再可変表示パターンを含み、可変表示パターン決定手段は、事前決定手段により特定表示結果としないと決定された場合よりも特定表示結果とすると決定された場合に高い割合で再可変表示の実行回数の多い再可変表示パターンを決定し、再可変表示パターンは、再可変表示を１回または複数回実行した後にリーチ態様が成立するリーチ再可変表示パターンと、再可変表示を１回または複数回実行した後にリーチ態様が成立せずに可変表示が終了する非リーチ再可変表示パターンとが設けられ、再可変表示パターンにおけるリーチ態様とならない表示結果を仮停止させる仮停止パターンは、リーチ態様とならない表示結果を構成する識別情報を順次仮停止させる通常パターンと、リーチ態様を成立させる識別情報に対して特定可変表示を実行した後にリーチ態様とならない表示結果を構成する識別情報を仮停止させる特定パターンとが設けられ、リーチ再可変表示パターンのみ、１の再可変表示において特定パターンを実行してリーチ態様とならない表示結果を仮停止した場合にリーチ態様が成立する再可変表示パターンを含む構成とされている。このような構成によれば、再可変表示パターンにおける再可変表示の実行回数だけでなく、再可変表示が特定パターンで仮停止するか否かについても遊技者に注目させることにより、再可変表示の実行回数による特定遊技状態の期待と、特定パターンによるリーチ態様が成立するか否かの期待とを２段階で煽ることができ、遊技者にとって認識し易い演出で期待を高めて遊技の興趣を向上させることができる。
【手続補正６】
【補正対象書類名】明細書
【補正対象項目名】００１８
【補正方法】変更
【補正の内容】
【００１８】
リーチ態様は、第１リーチ態様と、該第１リーチ態様よりも特定表示結果となる可能性が高い第２リーチ態様とが設けられ、第２リーチ態様が成立するリーチ再可変表示パターンのみ、再可変表示を所定実行回数以上実行しかつ再可変表示が特定パターンで仮停止するリーチ再可変表示パターンを含む構成とされることによって、所定実行回数以上の再可変表示が実行されるか否かと特定パターンが実行されるか否かについても遊技者に注目させることができ、より一層、期待感を向上させることができる。
【手続補正７】
【補正対象書類名】明細書
【補正対象項目名】００１９
【補正方法】変更
【補正の内容】
【００１９】
可変表示パターン決定手段が、特定パターンの種類によって成立するリーチ態様の種類が異なる割合となるように、リーチ再可変表示パターンを決定するように構成されることによって、特定パターンの種類により期待感を向上させることができる。
【手続補正８】
【補正対象書類名】明細書
【補正対象項目名】００２０
【補正方法】変更
【補正の内容】
【００２０】
可変表示パターン決定手段により再可変表示パターンとなると決定された識別情報の可変表示を開始するときに、再可変表示パターンとなることを報知する報知演出を実行可能である報知実行手段を備え、可変表示パターン決定手段は、報知実行手段により報知演出が実行され、かつ再可変表示が特定パターンで仮停止するリーチ再可変表示パターンを決定する場合は、第２リーチ態様が成立するリーチ再可変表示パターンを決定するように構成されることによって、報知演出が実行されるか否かと特定パターンが実行されるか否かについても遊技者に注目させることができ、より一層、期待感を向上させることができる。
【手続補正９】
【補正対象書類名】明細書
【補正対象項目名】００２１
【補正方法】変更
【補正の内容】
【００２１】
事前決定手段の決定結果にもとづいて、当該決定の対象となる可変表示が開始されるよりも以前に実行される１回または複数回の可変表示中にて演出装置を用いて第１特殊演出を実行する第１特殊演出実行手段と、事前決定手段の決定結果にもとづいて、当該決定の対象となる可変表示における再可変表示パターンにもとづく識別情報の可変表示の開始から初回の仮停止までの可変表示及び１回または複数回実行される再可変表示にて演出装置を用いて第１特殊演出と共通の態様の第２特殊演出を実行する第２特殊演出実行手段とを備えるように構成されることによって、当該決定の対象となる可変表示よりも以前に実行される１回または複数回の可変表示中にて実行される第１特殊演出と、当該決定の対象となる可変表示における再可変表示パターンにもとづく識別情報の可変表示の開始から初回の仮停止までの可変表示及び１回または複数回実行される再可変表示にて実行される第２特殊演出とが共通の態様の演出とされているので、それらの特殊演出の間に関連性を持たせることができる。その結果、遊技者は、第１特殊演出が実行されたか第２特殊演出が実行されたかについて認識できないため、より一層、特殊演出に対して注目することになり、効果的に遊技の興趣を向上させることができる。